(57)【要約】【課題】本発明は従来の遊戯者の爽快感を高める効果の限界に鑑み、遊戯機械の的のうち特定の的に的中した的中情報によって演奏される音声信号でランプを直接点灯し、音声とランプの点灯を同期させ相関を持たせた。これによって遊戯者の爽快感を高めることを目的としている。【解決手段】遊戯機械の的のうち特定の的に的中した的中情報と、音声信号を蓄えた音声再生部と、ランプで構成され、前記的中情報を受けて前記音声再生部が再生した音声信号で前記ランプを点灯する遊戯機械を構成している。【選択図】                    図３
2005218807.tif 000002
【特許請求の範囲】
【請求項１】
遊戯機械の的のうち特定の的に的中した的中情報と、音声信号を蓄えた音声再生部と、ランプで構成され、前記的中情報を受けて前記音声再生部が再生した音声信号で前記ランプを点灯する遊戯機械。
【請求項２】
遊戯機械の的のうち特定の的に的中した的中情報と、音声信号を蓄えた音声再生部と、ランプと、前記的中情報を受けて前記ランプの色選択命令を生成する分配器とによって構成され、前記的中情報を受けて前記音声再生部が再生した音声信号でランプを点灯し、前記分配器が生成した色選択命令によって前記ランプの色を制御できる遊戯機械。
【請求項３】
遊戯機械の的のうち特定の的に的中した状態情報と、音声信号を蓄えた音声再生部と、ランプと、前記的中情報を受けて前記ランプの色選択命令と前記音声再生部から再生された音声信号によって前記ランプの点滅リズム命令を生成する分配器とによって構成され、前記的中情報を受けて前記音声再生部から再生された音声信号でランプを点灯し、前記分配器が生成した色選択命令と点滅リズム命令によって前記ランプの色と点滅を制御できる遊戯機械。
【請求項４】
遊戯機械の的のうち特定の的に的中した的中情報と、音声信号を蓄えた音声再生部と、ランプと、前記的中情報を受けて前記ランプの色選択命令と点滅リズム命令と前記音声再生部の再生信号レベルを制御するレベル制御命令とを生成する分配器とによって構成され、前記的中情報によって選択された音声信号でランプを点灯し、前記分配器が生成した色選択命令と点滅リズム命令でランプの色と点滅を制御し、前記分配器が生成したレベル制御命令でランプの明るさを制御できる遊戯機械。
【請求項５】
遊戯機械の的のうち特定の的に的中した的中情報と、音声信号を蓄えた音声再生部と、ランプと、前記的中情報を受けて音声再生部が再生した音声信号のレベルによってランプ点灯数制御信号を生成する分配器によって構成され、前記分配器が決定したランプ数のランプを前記音声再生部が再生した音声信号で点灯できる遊戯機械。
【発明の詳細な説明】
【技術分野】
【０００１】  本発明はパチンコ、スロットルマシンなどの標的遊戯機械の効果音、効果電飾に関する。
【背景技術】
【０００２】  従来、パチンコ、スロットルマシンなどの標的遊技機械（以下パチンコ）は、玉の入り具合、的中した的または、絵や模様、数字の揃い方など的中情報によって再生される効果音を選んで再生し、点灯される白熱電球やＬＥＤ、ＥＬ、または冷陰極放電管、液晶パネルなど（以下ランプ）を点灯させ爽快感を演出していた。【０００３】  図１はパチンコの従来技術の説明ブロック図である。図２はパチンコ機部分の標的の一例である。１的中情報は標的に対する玉の的中のし方の情報を何種類かを生成する。例えば図２の７パチンコ機部分の真中の標的チューリップ７Ａに玉が的中し７Ａが開いたときに的中情報１Ａが生成される。それによって開いた図２の両脇のチューリップ７Ｂまたは７Ｃに引き続き玉が入ったときに的中情報１Ｂが生成される。また１Ａが生成してから一定時間内に的中情報１Ｂが連続して生成された場合には的中情報１Ｃが生成される。７Ｄと７Ｅは的中しても的中情報は生成されない。以下的中情報をこの様に定義する。【０００４】  図１に於て、２音声再生部は複数のデジタル音声信号（以下曲）２Ａ曲、２Ｂ曲、２Ｃ曲を蓄えており的中情報１Ａ、１Ｂ、１Ｃによって２Ａ曲、２Ｂ曲、２Ｃ曲を選択再生しパチンコ機に取り付けられたスピーカー３を鳴らす。６点滅制御は、１的中情報によって４ランプ群を点滅する点滅制御信号６Ａ、６Ｂ、６Ｃを生成する。点滅制御信号６Ａは４Ａ赤色ランプを点滅させ、６Ｂは４Ｂ緑色ランプを、６Ｃは４Ｃ青色ランプを点滅させる例を示した。以上のように図１は２音声再生部から選ばれ再生される音声信号２Ａ曲、２Ｂ曲、２Ｃ曲と、前記６点滅制御によって点滅されるランプ４Ａ、４Ｂ、４Ｃとは互いに独立的に制御され互いに関係の無い様子を示したものである。従って、パチンコなどの遊技機械においては、再生される効果音声とランプの点灯状態とは、玉の入り具合、的中情報によって独立的に決定されそれぞれ制御されるので、ランプの点灯状態と効果音声との間には互いに関係なかった。【０００５】  また遊技場店内は、軍艦マーチやディスコ音楽または演歌などの音楽を流し雰囲気を盛り上げていたが遊戯者個別には、的中した報酬として排出される玉やコインの流れ出るチンジャラ音と、これを強調する個々のパチンコ機のスピーカーが再生する効果音声と、この音声とは無関係に点滅するランプの光があったが、これによって個々の遊戯者の爽快感を高める効果には限界があった。
【発明の開示】
【発明が解決しようとする課題】
【０００６】  本発明は以上のような従来の遊戯者の爽快感を高める効果の限界に鑑み、的中情報によって再生される音声信号でランプを直接点灯し、点滅のリズム、明るさ、色等を制御し音声と同期させ互いに関連を持たせた。これによって遊戯者の爽快感を高めることを目的としている。【０００７】  本発明の前記ならびにそのほかの目的と新規な特長は次の説明を添付図面と照らし合わせて読むとより完全に明らかになるであろう。
ただし、図面はもっぱら解説のためのものであって、本発明の技術的範囲を限定するものではない。
【課題を解決するための手段】
【０００８】  上記目的を達成するために、遊戯機械の的のうち特定の的に的中した的中情報と、音声信号を蓄えた音声再生部と、ランプで構成され、前記的中情報を受けて前記音声再生部が再生した音声信号で前記ランプを点灯する遊戯機械を構成している。
【発明の効果】
【０００９】  以上の説明から明らかなように、本発明にあっては次に列挙する効果が得られる。
（１）本発明は、遊戯機械の的のうち特定の的に的中した的中情報と、音声信号を蓄えた音声再生部と、ランプで構成され、前記的中情報を受けて前記音声再生部が再生した音声信号で前記ランプを点灯することが出来る。従ってランプは音声の抑揚に合わせて点滅し聴覚に合わせて視覚にも音声と同期して訴えるので遊戯者の爽快感をいっそう引き立たせることができる。【００１０】（２）本発明は、遊戯機械の的のうち特定の的に的中した的中情報と、音声信号を蓄えた音声再生部と、ランプと、前記的中情報を受けて前記ランプの色選択命令を生成する分配器とによって構成され、前記的中情報を受けて前記音声再生部が再生した音声信号でランプを点灯し、前記分配器が生成した色選択命令によって前記ランプの色を制御できる。つまり音声の抑揚に合わせて点灯するランプの色も変化させて視覚に訴えるので遊戯者の爽快感をいっそう引き立たせることができる。【００１１】（３）本発明は、遊戯機械の的のうち特定の的に的中した状態情報と、音声信号を蓄えた音声再生部と、ランプと、前記的中情報を受けて前記ランプの色選択命令と前記音声再生部から再生された音声信号によって前記ランプの点滅リズム命令を生成する分配器とによって構成され、前記的中情報を受けて前記音声再生部から再生された音声信号でランプを点灯し、前記分配器が生成した色選択命令と点滅リズム命令によって前記ランプの色と点滅を制御できる。これにより遊戯者の爽快感をいっそう引き立たせることができる。【００１２】（４）本発明は、遊戯機械の的のうち特定の的に的中した的中情報と、音声信号を蓄えた音声再生部と、ランプと、前記的中情報を受けて前記ランプの色選択命令と点滅リズム命令と前記音声再生部の再生信号レベルを制御するレベル制御命令とを生成する分配器とによって構成され、前記的中情報によって選択された音声信号でランプを点灯し、前記分配器が生成した色選択命令と点滅リズム命令でランプの色とランプの点滅リズムを制御し、前記分配器が生成したレベル制御命令でランプの明るさを制御する事が出来る。従って視覚に訴える効果はさらに高められ遊戯者の爽快感をいっそう引き立たせることができる。
（５）本発明は、遊戯機械の的のうち特定の的に的中した的中情報と、音声信号を蓄えた音声再生部と、ランプと、前記的中情報を受けて音声再生部が再生した音声信号のレベルによってランプ点灯数制御信号を生成する分配器によって構成され、前記分配器が決定したランプ数のランプを前記音声再生部が再生した音声信号で点灯できる。従って点灯するランプは音声信号の強弱で明るさが変化すると同時に点灯する数が音声信号のレベルにより増減するので視覚に訴える効果はさらに高められ遊戯者の爽快感をいっそう引き立たせることができる。
（６）上記（１）〜（５）の効果によって遊戯者に爽快感を与え、さらにその爽快感をもう一度味わいたいと遊戯の続行を思い立たせることができる。
【発明を実施するための最良の形態】
【００１３】  以下、図３〜図４に示す実施するための最良の形態について、本発明を詳細に説明する。図３は本発明の音声とランプが同期して再生、点灯されることを示したブロック図である。１的中情報によって的中情報信号１Ａが生成された場合、２音声再生部は相当する音声信号２Ａ曲を再生しその信号で４ランプ群をも点灯する。４Ａは赤ランプ、４Ｂは緑ランプ、４Ｃは青ランプを例示した。一方音声信号２Ａ曲は３スピーカーを鳴らす。【００１４】  図４は本発明を実施するための最良の形態をさらに詳しく説明するための図である。２Ａは１的中情報１Ａによって２音声再生部が再生した音声信号で２１電力増幅器に供給される。２１電力増幅器は２音声再生部から４ランプ群点灯用電力増幅器を抽出したものであり２Ａ曲音声信号を電力増幅後４ランプ群を点灯する。２ＡＬは１的中情報によって２音声再生部が選択した２Ａ曲のステレオ左チャンネルの音声信号である。２１Ｌは音声再生部のステレオ左チャンネル用電力増幅器を２音声再生部から抽出したものであり、３Ｌはステレオ左チャンネル専用スピーカーである。同様に２ＡＲは１的中情報によって２音声再生部が選択した２Ａ曲のステレオ右チャンネルの音声信号である。２１Ｒは音声再生部のステレオ右チャンネル電力増幅器を２音声再生部から抽出したものであり、３Ｒはステレオ右チャンネル専用スピーカーである。２ＡＷは１的中情報によって２音声再生部が選択した２Ａ曲の低音音声信号である。２１Ｗは音声再生部の低音電力増幅器を２音声再生部から抽出したものであり、３Ｗは低音用専用スピーカーである。【００１５】  従来は、音声信号信号は読み出し専用記憶器にデジタル情報として蓄えられ、デジタルアナログ変換後アナログアンプで電力増幅されスピーカーを鳴らしていたが。最近は、デジタル音声信号をデジタルアナログ変換しないでパルス幅変調方式のデジタル信号のまま直接電力増幅後スピーカーを鳴らすことが出来る高密度、高集積型の高電力効率の電力増幅器が安価に供給されるようになった。したがって、本発明を実施するための最良の形態図４に於てはデジタル信号でランプを点灯し、デジタル信号を直接スピーカーに供給する方式で表現した。
【発明を実施するための異なる形態】
【００１６】  図５ないし図８および図１０、図１１に本発明を実施するための異なる形態示す。本発明を実施するための異なる形態につき説明する。なお、これらの本発明を実施するための異なる形態の説明にあったて、前記本発明を実施するための最良の形態と同一構成部分には同一の符号を付して重複する説明を省略する。
【００１７】  図５は本発明を実施するための第１の異なる形態のブロック図である。１的中情報は的中情報信号を生成し２音声再生部と５分配器に送られる。２音声再生部は３スピーカーに音声信号を送る。２音声再生部は音声信号を再生し３スピーカーを鳴らすと同時に４ランプ群を点灯する電力として４ランプ群の一端に接続される。４ランプ群の他の一端は５分配器によって生成された５Ａ色選択信号により接地され点灯される。５ＡＡは４Ａランプの他端を接地し４Ａ赤色ランプを点灯させる。５ＡＢは４Ｂランプの他端を接地し４Ｂ緑色ランプを点灯させる。５ＡＣは４Ｃランプの他端を接地し４Ｃ青色ランプを点灯させる。
【００１８】  １的中情報１Ａが生成されたとき２音声再生部は音声信号２Ａ曲を再生しスピーカーを鳴らすと同時にランプ点灯電力として４ランプ群の一端に供給する。５分配器は、４Ａランプの他端の接地指令５ＡＡを生成し４Ａ赤色ランプを２Ａ曲信号で点灯させる。４Ｂ緑色ランプと４Ｃ青色ランプは接地指令５ＡＢ、５ＡＣともに生成されないので点灯しない。
【００１９】  １的中情報１Ｂが生成されたときは、２音声再生部は音声信号２Ｂ曲を再生しスピーカーを鳴らすと同時にランプ点灯電力として４ランプ群の一端に供給される。５分配器は、４Ａ赤色ランプと４Ｂ緑色ランプの他端の接地指令５ＡＡと５ＡＢを生成し４Ａ赤色ランプと４Ｂ緑色ランプとを２Ｂ曲信号で点灯させる。４Ｃ青色ランプは接地指令５ＡＣが生成されないので点灯しない。
【００２０】  １的中情報１Ｃが生成されたときは、２音声再生部は音声信号２Ｃ曲を再生しスピーカーを鳴らすと同時にランプ点灯電力として４ランプ群の一端に供給される。５分配器は、４Ａ赤色ランプと４Ｂ緑色ランプと４Ｃ青色ランプの他端の接地指令５ＡＡと５ＡＢと５ＡＣを生成し４Ａ赤色ランプ、４Ｂ緑色ランプ、４Ｃ青色ランプを２Ｃ曲信号で点灯させる。
【００２１】  このときランプを個々に独立して点灯すれば赤、緑、青の３色が点灯するが３色を混合すれば白色になる。また、点灯の明るさを変えて混合すれば任意の色を発色できることは光の三原色の原理から明らかである。
【００２２】  図６は本発明を実施するための第２の異なる形態のブロック図である。この形態では図５の５Ａ色選択信号に５Ｂ点滅リズム命令を加えた例である。５Ｂ点滅リズム命令は２音声再生部からの音声信号により同期して生成され、５Ａ色選択信号が継続している間断続的に供給され４ランプ群の点滅を音声信号に合わせて点滅制御することが出来る。
【００２３】  １的中情報１Ａが生成されたとき、５ＢＡ点滅リズム命令は２Ａ曲に合わせたゆっくりの周期で断続し、２Ａ曲音声信号で点灯されている５ＡＡ色選択信号で選択された４Ａ赤色ランプを２Ａ曲に合わせたゆっくりの周期で点灯したり消灯したりする制御を行う。
【００２４】  １的中情報１Ｂが生成されたとき５ＢＡ点滅リズム命令は２Ｂ曲に合わせてゆっくりと、５ＢＢは２Ｂ曲に合わせてやや早い周期で断続し、２Ｂ曲で点灯されている色選択信号５ＡＡと５ＡＢで選択された４Ａ赤色ランプをゆっくりと、４Ｂ緑色ランプをやや早い周期で点灯したり消灯したりする制御を行う
【００２５】  １的中情報１Ｃが生成されたときは５ＢＡ点滅リズム命令が２Ｃ曲に合わせてゆっくりと、５ＢＢが２Ｃ曲に合わせてやや早く、５ＢＣが２Ｃ曲に合わせて早い周期で断続し、２Ｃ曲で点灯されている色選択信号５ＡＡと５ＡＢと５ＡＣで選択された４Ａ赤色ランプをゆっくりと、４Ｂ緑色ランプをやや早く、４Ｃ青色ランプを早い周期で点灯したり消灯したりする制御を行う。
【００２６】  図７は本発明を実施するための第３の異なる形態である。この形態は第２の形態に対しランプの明るさを制御するために５分配器は５Ｃ音量制御信号を生成し２音声再生部に供給する機能を加えたものである。
【００２７】  １的中情報１Ａ〜１Ｃが生成されたとき色選択信号５ＡＡ〜５ＡＣ、点滅リズ厶命令５ＢＡ〜５ＢＣによるランプの点灯、点滅の変化については第１、第２の異なる形態と重複するので説明を省略する。
【００２８】  １的中情報１Ａが生成された場合５分配器は２音声再生部に対し音量制御信号５ＣＡを供給し音量を小のレベルに設定する。この状態ではスピーカーから出る音は小に設定され、４ランプ群に供給される電力もそれにしたがって小さくなり暗い点灯となる。
【００２９】  １的中情報１Ｂが生成された場合は５分配器は２音声再生部に対し音量制御信号５ＣＢを供給し音量を中のレベルに設定する。この状態ではスピーカーから出る音は中に設定され、４ランプ群に供給される電力もそれにしたがって中となりやや明るい点灯となる。
【００３０】  １的中情報１Ｃが生成された場合は５分配器は２音声再生部に対し音量制御信号５ＣＣを供給し音量を大のレベルに設定する。この状態ではスピーカーから出る音は大に設定され、４ランプ群に供給される電力もそれにしたがって大となり明るい点灯となる。
【００３１】  ここでは４ランプ群の点灯明るさと３スピーカーから再生される音量とを同時に制御する説明をしたが、本発明を実施する最良の形態の説明図４に示した様に４ランプ群専用の２１電力増幅器だけに音量制御信号を供給すれば３スピーカーから再生される音量とは別に４ランプ群だけの明るさを５Ｃ音量制御信号で制御できる事は勿論である。
【００３２】  図８は本発明を実施するための第３の異なる形態をさらに詳しく説明するための図である。この図８では５分配器と４ランプ群との間に、５Ａ色選択信号と５Ｂ点滅リズム命令との論理積回路８〜１０を設け、色選択信号と点滅リズム命令とが同時に成立しているときにランプが点灯する様を示した詳細図である。１的中情報１Ａ〜１Ｃが生成されたとき、２音声再生部が選択再生する２Ａ曲〜２Ｃ曲および５分配器が生成する５Ａ色選択信号と５Ｂ点滅リズム命令との関係は既に述べたのでここでは省略し、４ランプ群が５Ａ色選択信号と、５Ｂ点滅リズム命令と、５Ｃ音量制御信号とにどの様に制御され点滅するかを述べる。
【００３３】  ４Ａ赤色ランプは、１Ａ的中情報が生成されたとき、５ＡＡ赤色選択信号が生成され、同時に５ＢＡゆっくり点滅リズム命令が生成されると８論理積回路が成立し８Ａ赤色ランプ制御信号が４Ａ赤色ランプの他端を接地し点灯条件を満たす。このとき５分配器から５ＣＡ音量小が生成され、ランプ点灯電力を供給する２１電力増幅器は音声再生部が選択した２Ａ曲の音声信号を利得小レベルで増幅し４ランプ群に供給され暗く点滅する。４Ｂ緑色ランプと４Ｃ青色ランプは点灯しない。
【００３４】  ４Ａ赤色ランプと４Ｂ緑色ランプは、１Ｂ的中情報が生成されたとき、５ＡＡ赤色選択信号と同時に５ＢＡゆっくり点滅リズム命令とによって８論理積回路が成立し８Ａ赤色ランプ制御信号が４Ａ赤色ランプの他端を接地させ点灯条件を満たす。同時に５ＡＢ緑色選択信号と５ＢＢやや早く点滅リズム命令とによって９論理積回路も成立し４Ｂ緑色ランプの他端を接地させ点灯条件を満たす。このとき５分配器からは５ＣＢ音量中が生成され、ランプ点灯電力を供給する２１電力増幅器は音声再生部が選択した２Ｂ曲の音声信号を利得中レベルで増幅し４ランプ群に供給しやや明るく点滅する。４Ａ赤色ランプはゆっくりでやや明るく点滅し、４Ｂ緑色ランプはやや早くやや明るく点滅し、４Ｃ青色ランプは点灯しない。
【００３５】  ４ランプ群は、１Ｃ的中情報が生成されたとき、５ＡＡ赤色選択信号と５ＢＡゆっくり点滅リズム命令とによって８論理積回路が成立し４Ａ赤色ランプの他端を接地させ点灯条件を満たす。同時に５ＡＢ緑色選択信号と５ＢＢやや早く点滅リズム命令とによって９論理積回路も成立し４Ｂ緑色ランプの他端を接地させ点灯条件を満たす。さらに、５ＡＣ青色選択信号と５ＢＣ早く点滅リズム命令とによって１０論理積回路も成立し４Ｃ青色ランプの他端を接地させ点灯条件を満たす。このとき５分配器からは５ＣＣ音量大が生成され、ランプ点灯電力を供給する２１電力増幅器は音声再生部が選択した２Ｃ曲の音声信号を利得大レベルで増幅し４ランプ群に供給し明るく点滅させる。４Ａ赤色ランプはゆっくりで明るく点滅し、４Ｂ緑色ランプはやや早く明るく点滅し、４Ｃ青色ランプは早く明るく点滅する。第３の実施例では、的中情報１Ａ〜１Ｃに対しランプの点灯明るさを３段階に制御し、４Ａ〜４Ｃランプにはそれぞれの色に対し点滅の早さを２音声再生部からの音声信号に従った３段階に制御する様子を示した。これをまとめると第９図のようになる。
【００３６】  本発明のこれまでの実施の形態では３種類の、言いかえれば光の３原色に相当する３種類のランプが独立して存在しているように述べてきた。しかし、３色の発光ダイオードを用い、色選択信号と点滅リズム命令を制御する事によって赤、緑、青の３色の混合が可能となりいかなる色をも表現できることは周知のとおりである。混合して発光するランプが本発明の音声信号を点滅電源とする事によって音声に合わせることが出来る。即ち効果音声とランプの発光色の相乗効果は計り知れないものがあると言える。
【００３７】  図１０に示したブロック図は本発明の第４の異なる形態を示した。５分配器は２音声再生部が再生した音声信号のレベル（強さ）に従って点灯するランプの数を制御する５Ｄランプ点灯数制御信号を生成する。図１０は説明を簡略化するためランプは４Ａ赤色のみとし緑色と青色ランプを省略して述べる。
【００３８】  ２音声再生部が再生している音声信号のレベルが低いときは５分配器は５ＤＡランプ点灯数１制御信号を生成し４ＡＡ赤色ランプ１個目を点灯させる。音声信号のレベルが中くらいのときは５分配器は５ＤＢランプ点灯数２制御信号を生成し４ＡＡ赤色ランプ１個目と４ＡＢ赤色ランプ２個目を点灯させる。音声信号のレベルが大のときは５分配器は５ＤＣランプ点灯数３制御信号を生成し４ＡＡ赤色ランプ１個目と４ＡＢ赤色ランプ２個目と４ＡＣ赤色ランプ３個目を点灯させる。
【００３９】  この形態では５分配器の音声信号レベル分析能力を３段階を例に説明したが、ランプの数を５個にしレベル分析能力を５段階にして点灯するランプ数を音声信号のレベルの変化に対し滑らかに変動する様に制御する事も出来る。
【００４０】  図１１に示したブロック図は本発明を実施するための第５の異なる形態を示し、赤、緑、青の光の三原色を使って多様の色を表現するテレビの、ブラウン菅や液晶パネルあるいは有機薄膜など表示器の、明るさを制御する輝度信号に音声信号を重畳させて画面の明るさを音声信号で制御しようとするものである。２音声再生部が再生した音声信号は、１１明るさ信号整形回路で極性や振幅を１３映像信号に合わせて整えた後１２混合回路を経て、１４テレビ画面の映像の明るさを音声信号で制御する。
【産業上の利用可能性】
【００４１】  本発明は遊戯機械製造業の標的ゲームなどに用いる遊戯機械を製造する産業で利用される。
【図面の簡単な説明】
【００４２】
【図１】従来技術を説明するためのブロック図
【図２】パチンコ機械の部分図
【図３】本発明を実施するための最良の形態のブロック図
【図４】本発明を実施するための最良の形態の詳細図
【図５】本発明を実施するための第１の異なる形態のブロック図
【図６】本発明を実施するための第２の異なる形態のブロック図
【図７】本発明を実施するための第３の異なる形態のブロック図
【図８】本発明を実施するための第３の異なる形態の詳細図
【図９】本発明を実施するための第３の異なる形態ランプ点滅状態表
【図１０】本発明を実施するための第４の異なる形態のブロック図
【図１１】本発明を実施するための第５の異なる形態のブロック図
【符号の説明】
【００４３】１：的中情報                                ４Ｃ：青色ランプ
１Ａ：生成された的中情報                    ４ＡＡ：赤色ランプ１個目
１Ｂ：生成された的中情報                    ４ＡＢ：赤色ランプ２個目
１Ｃ：生成された的中情報                    ４ＡＣ：赤色ランプ３個目
２：音声再生部                              ５：分配器
２１：ランプ用電力増幅器                    ５Ａ：ランプ色選択信号
２１Ｌ：左チャネル用電力増幅器              ５ＡＡ：赤色ランプ選択信号
２１Ｒ：右チャネル用電力増幅器              ５ＡＢ：緑色ランプ選択信号
２１Ｗ：低音用電力増幅器                    ５ＡＣ：青色ランプ選択信号
２Ａ：選択再生された音声信号                ５Ｂ：ランプ点滅リズム制御信号
２Ｂ：選択再生された音声信号                ５ＢＡ：赤色ランプ点滅リズム制御信号
２Ｃ：選択再生された音声信号                ５ＢＢ：緑色ランプ点滅リズム制御信号
３：スピーカー                              ５ＢＣ：青色ランプ点滅リズム制御信号
３Ｌ：ステレオ左チャネル用スピーカー        ５Ｃ：音量制御信号
３Ｒ：ステレオ右チャネル用スピーカー        ５ＣＡ：音量小
３Ｗ：低音用スピーカー                      ５ＣＢ：音量中
４：赤色、緑色、青色のランプ群              ５ＣＣ：音量大
４Ａ：赤色ランプ                            ５Ｄ：ランプ点灯数制御信号
４Ｂ：緑色ランプ                            ５ＤＡ：ランプ点灯数１制御信号
５ＤＢ：ランプ点灯数２制御信号
５ＤＣ：ランプ点灯数３制御信号
６：点滅制御
７：パチンコ機標的部分
７Ａ：標的チューリップ
７Ｂ：標的チューリップ
７Ｃ：標的チューリップ
７Ｄ：標的チューリップ
７Ｅ：標的チューリップ
８：論理積回路
８Ａ：赤色ランプ制御信号
９：論理積回路
９Ａ：緑色ランプ制御信号
１０：論理積回路
１０Ａ：青色ランプ制御信号
１１：明るさ信号整形回路
１２：混合回路
１３：映像信号
１４：テレビ画面
【図１】
2005218807.tif 000003
【図２】
2005218807.tif 000004
【図３】
2005218807.tif 000005
【図４】
2005218807.tif 000006
【図５】
2005218807.tif 000007
【図６】
2005218807.tif 000008
【図７】
2005218807.tif 000009
【図８】
2005218807.tif 000010
【図９】
2005218807.tif 000011
【図１０】
2005218807.tif 000012
【図１１】
2005218807.tif 000013